(57)【要約】【課題】  複数の機器により構成されるネットワークのコストダウンを図る。【解決手段】  操作信号が入力される操作信号入力部と、操作信号入力部から入力された操作信号に基づき、制御信号を生成する制御部と、データを受信する受信部と、受信部で受信されたデータの中から所定のデータを選択する選択部と、選択部で選択されたデータを出力するデータ出力部とを備える。【選択図】  図１
2005223644.tif 000002
【特許請求の範囲】
【請求項１】
操作信号が入力される操作信号入力手段と、
上記操作信号入力手段を介して入力された操作信号に基づき、制御信号を生成する制御手段と、
データを受信する受信手段と、
少なくとも上記受信手段で受信されたデータの中から上記制御信号に基づき所定のデータを選択する選択手段と、
上記選択手段で選択されたデータを出力するデータ出力手段とを備えることを特徴とするデータ受信装置。
【請求項２】
上記選択手段により選択されたデータを、上記制御手段で生成された制御信号に応じて、符号化する符号化手段を備え、
上記符号化手段は、符号化したデータを上記データ出力手段に供給することを特徴とする請求項１記載のデータ受信装置。
【請求項３】
上記選択手段により選択されたデータを、上記制御手段で生成された制御信号に応じて、記憶する記憶手段と、
上記記憶手段に記憶されているデータを読み出すデータ読出手段を備え、
上記データ読出手段は、上記制御手段で生成された制御信号に応じて、上記記憶手段に記憶されているデータを読み出し、読み出したデータを上記データ出力手段に供給することを特徴とする請求項１記載のデータ受信装置。
【請求項４】
上記選択手段により選択されたデータを、上記制御手段で生成された制御信号に応じて、符号化する符号化手段と、
上記符号化手段で符号化されたデータを、上記制御手段で生成された制御信号に応じて、記憶する記憶手段と、
上記記憶手段に記憶されているデータを読み出すデータ読出手段を備え、
上記データ読出手段は、上記制御手段で生成された制御信号に応じて、上記記憶手段に記憶されているデータを読み出し、読み出したデータを上記データ出力手段に供給することを特徴とする請求項１記載のデータ受信装置。
【請求項５】
上記データ出力手段から出力されたデータを受信するデータ受信手段と、
上記データ受信手段で受信されたデータに所定の処理を行う処理手段と、
上記処理手段で処理されたデータを表示する表示手段とにより構成される表示機器をさらに備えることを特徴とする請求項１記載のデータ受信装置。
【請求項６】
上記表示機器は、
上記符号化手段で符号化されたデータを復号する復号手段を備えることを特徴とする請求項５記載のデータ受信装置。
【請求項７】
上記表示機器は、
上記表示手段にデータを表示する際に所定の表示データを付加する表示データ付加手段を備えることを特徴とする請求項５項記載のデータ受信装置。
【請求項８】
操作信号が入力される操作信号入力手段と、
上記操作信号入力手段を介して入力された操作信号に基づき、制御信号を生成する制御手段と、
データが記録されている機器が接続される接続手段と、
上記制御手段で生成された制御信号に応じて、上記接続手段に接続されている機器からデータを読み出す読出手段と、
上記読出手段で読み出されたデータを出力する出力手段とを備えることを特徴とするデータ制御装置。
【請求項９】
上記接続手段は、データが記録されている機器が複数台接続されており、
上記読出手段は、上記制御手段で生成された制御情報に応じて、上記接続手段に接続されている複数の機器から所定の機器を選択し、選択した機器からデータを読み出すことを特徴とする請求項８記載のデータ制御装置。
【請求項１０】
上記読出手段により読み出されたデータを、上記制御手段で生成された制御信号に応じて、符号化する符号化手段を備え、
上記符号化手段は、符号化したデータを上記データ出力手段に供給することを特徴とする請求項８記載のデータ制御装置。
【請求項１１】
上記読出手段により読み出されたデータを、上記制御手段で生成された制御信号に応じて、記憶する記憶手段と、
上記記憶手段に記憶されているデータを読み出すデータ読出手段を備え、
上記データ読出手段は、上記制御手段で生成された制御信号に応じて、上記記憶手段に記憶されているデータを読み出し、読み出したデータを上記データ出力手段に供給することを特徴とする請求項８記載のデータ制御装置。
【請求項１２】
上記読出手段により読み出されたデータを、上記制御手段で生成された制御信号に応じて、符号化する符号化手段と、
上記符号化手段で符号化されたデータを、上記制御手段で生成された制御信号に応じて、記憶する記憶手段と、
上記記憶手段に記憶されているデータを読み出すデータ読出手段を備え、
上記データ読出手段は、上記制御手段で生成された制御信号に応じて、上記記憶手段に記憶されているデータを読み出し、読み出したデータを上記データ出力手段に供給することを特徴とする請求項８記載のデータ制御装置。
【請求項１３】
上記データ出力手段から出力されたデータを受信するデータ受信手段と、
上記データ受信手段で受信されたデータに所定の処理を行う処理手段と、
上記処理手段で処理されたデータを表示する表示手段とにより構成される表示機器をさらに備えることを特徴とする請求項８記載のデータ制御装置。
【請求項１４】
上記表示機器は、
上記符号化手段で符号化されたデータを復号する復号手段を備えることを特徴とする請求項１３記載のデータ制御装置。
【請求項１５】
上記表示機器は、
上記表示手段にデータを表示する際に所定の表示データを付加する表示データ付加手段を備えることを特徴とする請求項１３記載のデータ制御装置。
【請求項１６】
操作信号が入力される操作信号入力手段と、
上記操作信号入力手段を介して入力された操作信号に基づき、制御信号を生成する制御手段と、
データを受信する受信手段と、
上記受信手段で受信されたデータの中から上記制御信号に基づき所定のデータを選択する選択手段と、
データが記録されている機器が接続される接続手段と、
上記制御手段で生成された制御信号に応じて、上記接続手段に接続されている機器からデータを読み出す読出手段と、
上記選択手段で選択されたデータ及び／又は上記読出手段で読み出されたデータを出力する出力手段とを備えることを特徴とするデータ制御システム。
【請求項１７】
上記接続手段は、データが記録されている機器が複数台接続されており、
上記読出手段は、上記制御手段で生成された制御情報に応じて、上記接続手段に接続されている複数の機器から所定の機器を選択し、選択した機器からデータを読み出すことを特徴とする請求項１６記載のデータ制御システム。
【請求項１８】
上記選択手段により選択されたデータ及び／又は上記読出手段により読み出されたデータを、上記制御手段で生成された制御信号に応じて、符号化する符号化手段を備え、
上記符号化手段は、符号化したデータを上記データ出力手段に供給することを特徴とする請求項１６記載のデータ制御システム。
【請求項１９】
上記選択手段により選択されたデータ及び／又は上記読出手段により読み出されたデータを、上記制御手段で生成された制御信号に応じて、記憶する記憶手段と、
上記記憶手段に記憶されているデータを読み出すデータ読出手段を備え、
上記データ読出手段は、上記制御手段で生成された制御信号に応じて、上記記憶手段に記憶されているデータを読み出し、読み出したデータを上記データ出力手段に供給することを特徴とする請求項１６記載のデータ制御システム。
【請求項２０】
上記選択手段により選択されたデータ及び／又は上記読出手段により読み出されたデータを、上記制御手段で生成された制御信号に応じて、符号化する符号化手段と、
上記符号化手段で符号化されたデータを、上記制御手段で生成された制御信号に応じて、記憶する記憶手段と、
上記記憶手段に記憶されているデータを読み出すデータ読出手段を備え、
上記データ読出手段は、上記制御手段で生成された制御信号に応じて、上記記憶手段に記憶されているデータを読み出し、読み出したデータを上記データ出力手段に供給することを特徴とする請求項１６記載のデータ制御システム。
【請求項２１】
上記データ出力手段から出力されたデータを受信するデータ受信手段と、
上記データ受信手段で受信されたデータに所定の処理を行う処理手段と、
上記処理手段で処理されたデータを表示する表示手段とにより構成される表示機器をさらに備えることを特徴とする請求項１６記載のデータ制御システム。
【請求項２２】
上記表示機器は、
上記符号化手段で符号化されたデータを復号する復号手段を備えることを特徴とする請求項２１記載のデータ制御システム。
【請求項２３】
上記表示機器は、
上記表示手段にデータを表示する際に所定の表示データを付加する表示データ付加手段を備えることを特徴とする請求項２１項記載のデータ制御システム。
【発明の詳細な説明】
【技術分野】
【０００１】
本発明は、チューナで受信したデータに基づく映像を表示部に表示するデータ受信装置と、外部機器からデータを取り込み、取り込んだデータに所定の処理を行い、該データに基づく映像を表示部に表示するデータ制御装置と、該データ受信装置と該データ制御装置を有するデータ制御システムに関する。
【背景技術】
【０００２】
従来のＵＰｎＰ（Universal Plug and Play）等では、既存の機器を複数台ネットワークを介して接続し、相互にデータの送受信を行うことを目的としている。ここで、ＵＰｎＰの仕組みについて説明する。
【０００３】
ＵＰｎＰは、機器（デバイス）間のコネクティビティ（接続性）を高めるための技術である。ＵＰｎＰは、インターネットプロトコル（IP）ネットワークに接続される、あらゆるデバイスが互いに認識しあい、また物理的に異なるネットワークに存在するデバイスであっても、シームレスに接続されることを目指している。また、ＵＰｎＰは、ネットワークにデバイスをプラグ（接続）するだけで簡単に動作させるための仕組みである。 
たとえば、家庭内にはすでに、さまざまなデジタル化された家電品があり、部分的なネットワーク化が行われている。IEEE1394を使ってデジタルビデオ同士を接続し、特定の目的でピアツーピアのネットワーク接続が行われているケースもあれば、ホームオートメーションシステムとして、電力線を介して宅内空調や照明を集中管理するといったものもある（例えば、非特許文献１参照）。
【０００４】
【非特許文献１】http://www.upnp.org/
【発明の開示】
【発明が解決しようとする課題】
【０００５】
ところで、上述のようなネットワークに接続される機器は、通常、単体でも十分に機能を発揮するように沢山の機能を有しており、ネットワークに接続した場合に、機器間で重複した機能が存在していた。その結果、ネットワーク上に同一の機能が複数存在することになり、システムとして複雑になり、コストアップの原因となっていた。
【０００６】
そこで、本発明は、上述した課題を解決するために、ネットワークをバス的概念で考え、データの送受信を制御するサーバ及びアダプタに所定の機能を持たせ、シンプルなネットワークを廉価に構築できるデータ受信装置、データ制御装置及びデータ制御システムを提供することを目的とする。
【課題を解決するための手段】
【０００７】
本発明に係るデータ受信装置は、上述の課題を解決するために、操作信号が入力される操作信号入力手段と、上記操作信号入力手段を介して入力された操作信号に基づき、制御信号を生成する制御手段と、データを受信する受信手段と、少なくとも上記受信手段で受信されたデータの中から上記制御信号に基づき所定のデータを選択する選択手段と、上記選択手段で選択されたデータを出力するデータ出力手段とを備える。
【０００８】
また、本発明に係るデータ制御装置は、上述の課題を解決するために、操作信号が入力される操作信号入力手段と、上記操作信号入力手段を介して入力された操作信号に基づき、制御信号を生成する制御手段と、データが記録されている機器が接続される接続手段と、上記制御手段で生成された制御信号に応じて、上記接続手段に接続されている機器からデータを読み出す読出手段と、上記読出手段で読み出されたデータを出力する出力手段とを備える。
【０００９】
また、本発明に係るデータ制御システムは、上述の課題を解決するために、操作信号が入力される操作信号入力手段と、上記操作信号入力手段を介して入力された操作信号に基づき、制御信号を生成する制御手段と、データを受信する受信手段と、上記受信手段で受信されたデータの中から上記制御信号に基づき所定のデータを選択する選択手段と、データが記録されている機器が接続される接続手段と、上記制御手段で生成された制御信号に応じて、上記接続手段に接続されている機器からデータを読み出す読出手段と、上記選択手段で選択されたデータ及び／又は上記読出手段で読み出されたデータを出力する出力手段とを備える。
【発明の効果】
【００１０】
本発明に係るデータ受信装置は、ネットワークをバス的な概念で考え、データを受信する受信機と、受信機により受信したデータを表示する表示部とが、ユーザの操作に応じて、受信機により受信したデータを表示部の各表示デバイスに供給するデータサーバに接続されているので、例えば、データに符号化を行う側と、符号化されたデータを復号する側とで各々共通の設計を利用でき、また、重複した機能を省略することができるので、システムのコストダウンを図ることができる。
【００１１】
また、本発明に係るデータ制御装置は、ネットワークをバス的な概念で考え、データが記録されている機器と、機器から読み出したデータを表示する表示部とが、ユーザの操作に応じて、機器に記録されているデータを表示部に供給するデータアダプタに接続されているので、例えば、データに符号化を行う側と、符号化されたデータを復号する側とで各々共通の設計を利用でき、また、重複した機能を省略することができるので、システムのコストダウンを図ることができる。
【００１２】
また、本発明に係るデータ制御システムは、ネットワークをバス的な概念で考え、データを受信する受信機と、データが記録されている機器と、受信機により受信したデータ及び機器から読み出したデータを表示する表示部とが、ユーザの操作に応じて、受信機により受信したデータ及び機器に記録されているデータを表示部に供給するデータ制御装置に接続されているので、例えば、データに符号化を行う側と、符号化されたデータを復号する側とで各々共通の設計を利用でき、また、重複した機能を省略することができるので、システムのコストダウンを図ることができる。
【発明を実施するための最良の形態】
【００１３】
以下、本発明の第１の実施の形態として、データを受信し、表示部に出力するＡＶサーバについて説明する。
【００１４】
ＡＶサーバ１は、図１に示すように、データを受信する受信機２と、受信機２により受信したデータを表示する表示部３が、データの送受信の制御を行うデータサーバ４に接続されて構成されている。
【００１５】
受信機２は、地上波アナログ信号を受信するチューナ、衛星放送を受信するチューナ等の複数のチューナにより構成されている。
【００１６】
表示部３は、ＣＲＴ（Cathode Ray Tube）、ＰＤＰ（Plasma Display Panel）、ＬＣＤ（Liquid Crystal Display）等の映像を表示する複数の表示デバイスにより構成されている。
【００１７】
データサーバ４は、複数のチューナで構成されている受信機２と、複数の表示デバイスで構成されている表示部３とが接続されている。ここで、データサーバ４の詳細な構成について以下に述べる。
【００１８】
データサーバ４は、図２に示すように、受信機２が接続される受信機接続部１０と、表示部３が接続される表示接続部１１と、受信機接続部１０から入力されるデータに所定の符号化処理を行う符号化処理部１２と、符号化処理部１２で符号化されたデータを記憶する記憶部１３と、ユーザからの操作信号Ｓ１を受信する操作信号受信部１４と、操作信号受信部１４で受信された操作信号Ｓ１から制御信号Ｓ２を生成し、データサーバ４の各構成部を制御する制御部１５とがバスＡ上に接続されて構成されている。
【００１９】
受信機接続部１０は、接続されている受信機２により受信された信号をデータサーバ４に供給する。なお、受信機接続部１０は、アナログ／デジタル地上波用のチューナ、アナログ／デジタル衛星放送用のチューナ等の機能を有していても良い。この場合には、受信機２は、各種の信号を受信するアンテナ群で構成されることになる。なお、受信機２が複数のアンテナで構成される場合には、後述するデータサーバ４から供給される制御信号Ｓ２に応じて、一のチューナが選択され、選択された該一のチューナに対応するアンテナで受信したデータが受信機接続部１０に供給されることになる。
【００２０】
表示接続部１１は、受信機接続部１０を介して供給されたデータを、リクエストされた表示部３の表示デバイスに出力する。なお、表示部３は、図３に示すように、データサーバ４から供給されたデータを受信する受信部２０と、受信したデータが符号化されていたときに復号する復号部２１と、ユーザの操作に応じてＯＳＤ（On Screen Display）やＧＵＩ（Graphical User Interface）を生成する表示データ付加部２２と、表示デバイスを接続する接続部２３と、所定のプログラムが格納されているＲＯＭ２４と、データ処理時にデータの一時書き込み用として使用されるＲＡＭ２５とを有している。
【００２１】
また、データサーバ４は、必要に応じて、受信機接続部１０を介して供給されたデータを符号化処理部１２に供給して符号化し、符号化されたデータを記憶部１３に記憶する。そして、データサーバ４は、記憶部１３に記憶されているデータを読み出し、読み出されたデータを、リクエストされた表示接続部１１に接続されている表示部３に出力する。
【００２２】
操作信号受信部１４は、ユーザの操作に応じて所定の操作信号Ｓ１が生成され、生成された操作信号Ｓ１が制御部１５に供給される。
【００２３】
制御部１５は、操作信号受信部１４から供給された操作信号Ｓ１に応じて、所定の制御信号Ｓ２を生成し、生成した制御信号Ｓ２を受信機接続部１０に出力する。
【００２４】
ここで、データ受信装置５の具体的な動作について図４に示すフローチャートにしたがって以下に説明する。なお、ユーザは、表示接続部１１に接続されている一の表示デバイスに、受信機接続部１０に接続されている受信機２から任意のチャンネルのデータに基づく映像を表示させたいものとする。
【００２５】
ステップＳＴ１において、操作信号受信部１４は、操作信号Ｓ１を受信する。ここで、ユーザは、リモコン等により任意のチャンネルの番号を押圧し、操作信号受信部１４に操作信号Ｓ１を送信する。また、操作信号受信部１４と表示部３を構成している表示デバイスとは対応関係を有しているものとし、一の操作信号受信部１４から供給された操作信号Ｓ１には、該一の操作信号受信部１４に対応する表示部を識別する情報が含まれているものとする。したがって、一の操作信号受信部１４から供給された操作信号Ｓ１によりデータサーバ４を介して読み出されたデータに基づく映像は、該一の操作信号受信部１４に対応する表示デバイスに表示される。
【００２６】
ステップＳＴ２において、操作信号受信部１４は、受信した操作信号Ｓ１を制御部１５に供給する。
【００２７】
ステップＳＴ３において、制御部１５は、供給された操作信号Ｓ１に基づき所定の制御信号Ｓ２を生成し、生成した制御信号Ｓ２を受信機接続部１０に供給する。
【００２８】
ステップＳＴ４において、受信機接続部１０は、制御部１５から供給された制御信号Ｓ２に基づき、一のアンテナを選択し、選択されたアンテナから受信される信号から任意のチャンネルを選択し、選択されたチャンネルを受信する。
【００２９】
ステップＳＴ５において、制御部１５は、受信機接続部１０で受信されたチャンネルのデータを表示接続部１１に接続されている一の表示デバイスに出力する。
【００３０】
このように構成されるＡＶサーバ１は、ネットワークをバス的な概念で考え、データを受信する受信機２と、受信機２により受信したデータを表示する表示部３とが、ユーザの操作に応じて、受信機２により受信したデータを表示部３の各表示デバイスに供給するデータサーバ４に接続されているので、例えば、データに符号化を行う側と、符号化されたデータを復号する側とで各々共通の設計を利用でき、また、重複した機能を省略することができるので、システムのコストダウンを図ることができる。
【００３１】
また、ＡＶサーバ１は、機器を接続するケーブル類が少なくて済み、複数の受信機と複数の表示デバイスの接続が容易に行え、システムの拡張を容易に行うことができる。
【００３２】
つぎに、本発明の第２の実施の形態として、データを機器から読み出し、読み出したデータを表示部に出力するＡＶアダプタ５について説明する。なお、上述した第１の実施の形態と同様の構成部に関しては同じ番号を付し、該構成部の詳細な説明を省略する。
【００３３】
ＡＶアダプタ５は、図５に示すように、データが記録されている機器６と、機器６から読み出したデータを表示する表示部３とが、ユーザの操作に応じて、機器６に記録されているデータを表示部３に供給するデータアダプタ７に接続されて構成されている。
【００３４】
機器６は、データが記録されているＨＤＤ搭載機器、データが記録されている着脱可能な記録媒体からデータを読み出すデータ再生機器等の複数の機器により構成されている。
【００３５】
データアダプタ７は、複数のデータ記録装置で構成されている機器６と、複数の表示デバイスで構成されている表示部３とが接続されている。ここで、データアダプタ７の詳細な構成について以下に述べる。
【００３６】
データアダプタ７は、図６に示すように、機器６が接続される機器接続部３０と、表示部３が接続される表示接続部１１と、機器接続部３０から入力されるデータに所定の符号化処理を行う符号化処理部１２と、符号化処理部１２で符号化されたデータを記憶する記憶部１３と、ユーザからの操作信号Ｓ１を受信する操作信号受信部１４と、操作信号受信部１４で受信された操作信号Ｓ１から制御信号Ｓ２を生成し、データアダプタ７の各構成部を制御する制御部１５と、制御部１５で生成された各種の制御信号Ｓ２を出力する制御信号出力部３１とがバスＡ上に接続されて構成されている。
【００３７】
機器接続部３０は、接続されている機器６から読み出されたデータをデータアダプタ７に供給する。なお、機器接続部３０は、各種のフォーマットに準拠した映像信号等を受信可能なインターフェースであれば良く、コンポジット端子、Ｓ映像端子、ＩＥＥＥ１３９４インターフェース等により構成されているものとする。
【００３８】
なお、機器６は、後述するデータアダプタ７から供給される制御信号Ｓ２に応じて、全般的な動作制御がなされるものとし、例えば、機器６が着脱可能なテープ媒体の再生を行うものである場合には、データアダプタ７から供給された制御信号Ｓ２に応じて、通常の再生動作、巻き戻し動作及び早送り動作等の駆動が行われ、該駆動によりテープ媒体から読み出されたデータをデータアダプタ７に出力する。
【００３９】
表示接続部１１は、機器３から機器接続部３０を介して供給されたデータを、リクエストされた表示部３の表示デバイスに出力する。
【００４０】
また、データアダプタ７は、必要に応じて、機器接続部３０を介して供給されたデータを符号化処理部１２に供給して符号化し、符号化されたデータを記憶部１３に記憶する。そして、データアダプタ７は、記憶部１３に記憶されているデータを読み出し、読み出されたデータを表示接続部１１に接続されている表示部３に出力する。
【００４１】
操作信号受信部１４は、ユーザの操作に応じて所定の操作信号Ｓ１が生成され、生成された操作信号Ｓ１が制御部１５に供給される。
【００４２】
制御部１５は、操作信号受信部１４から供給された操作信号Ｓ１に応じて、所定の制御信号Ｓ２を生成し、生成した制御信号Ｓ２を制御信号出力部３１に出力する。
【００４３】
制御信号出力部３１は、制御部１５から供給された制御信号Ｓ２を機器６に出力する。なお、制御信号出力部３１は、機器６が受信可能な信号形態で出力するものとし、例えば、赤外線で出力される。
【００４４】
ここで、データアダプタ７の具体的な動作について図７に示すフローチャートにしたがって以下に説明する。なお、ユーザは、表示接続部１１に接続されている一の表示デバイスに、機器接続部３０に接続されている一の機器６からデータを読み出し、読み出したデータに基づく映像を表示させたいものとする。
【００４５】
ステップＳＴ１０において、操作信号受信部１４は、操作信号Ｓ１を受信する。ここで、ユーザは、リモコン等により任意の機器６を選択し、選択した機器６を操作する信号を操作信号受信部１４に送信する。また、操作信号受信部１４と表示部３を構成している表示デバイスとは対応関係を有しているものとし、一の操作信号受信部１４から供給された操作信号Ｓ１には、該一の操作信号受信部１４に対応する表示部を識別する情報が含まれているものとする。したがって、一の操作信号受信部１４から供給された操作信号Ｓ１によりデータサーバ４を介して読み出されたデータに基づく映像は、該一の操作信号受信部１４に対応する表示デバイスに表示される。
【００４６】
ステップＳＴ１１において、操作信号受信部１４は、受信した操作信号Ｓ１を制御部１５に供給する。
【００４７】
ステップＳＴ１２において、制御部１５は、供給された操作信号Ｓ１に基づき所定の制御信号Ｓ２を生成し、生成した制御信号Ｓ２を制御信号出力部３１に供給する。
【００４８】
ステップＳＴ１３において、制御信号出力部３１は、制御部１５から供給された制御信号Ｓ２を機器接続部３０に接続されている機器６に送信する。機器６は、制御信号出力部３１から供給された制御信号Ｓ２に応じて、一の機器が駆動され、媒体からデータが読み出され、読み出されたデータを機器接続部３０に供給する。
【００４９】
ステップＳＴ１４において、制御部１５は、機器接続部３０で受信されたデータを表示接続部１１に接続されている一の表示デバイスに出力する。
【００５０】
このように構成されるＡＶアダプタ５は、ネットワークをバス的な概念で考え、データが記録されている機器６と、機器６から読み出したデータを表示する表示部３とが、ユーザの操作に応じて、機器６に記録されているデータを表示部３に供給するデータアダプタ７に接続されているので、例えば、データに符号化を行う側と、符号化されたデータを復号する側とで各々共通の設計を利用でき、また、重複した機能を省略することができるので、システムのコストダウンを図ることができる。
【００５１】
また、ＡＶアダプタ５は、機器を接続するケーブル類が少なくて済み、複数の機器の接続が容易に行え、システムの拡張が容易に行うことができる。
【００５２】
つぎに、本発明の第３の実施の形態として、所定のデータを送受信するＡＶシステムについて説明する。なお、上述した第１の実施の形態及び第２の実施の形態と同様の構成部に関しては同じ番号を付し、該構成部の詳細な説明を省略する。
【００５３】
ＡＶシステム８は、図８に示すように、データを受信する受信機２と、データが記録されている機器６と、受信機２により受信したデータ及び機器６から読み出したデータを表示する表示部３とが、ユーザの操作に応じて、受信機２により受信したデータ及び機器６に記録されているデータを表示部３に供給するデータ制御装置９に接続されて構成されている。
【００５４】
ここで、データ制御装置９の詳細な構成について以下に述べる。
【００５５】
データ制御装置９は、図９に示すように、受信機２が接続される受信機接続部１０と、機器６が接続される機器接続部３０と、表示部３が接続される表示接続部１１と、受信機接続部１０から入力されるデータ及び機器接続部３０から入力されるデータに所定の符号化処理を行う符号化処理部１２と、符号化処理部１２で符号化されたデータを記憶する記憶部１３と、ユーザからの操作信号Ｓ１を受信する操作信号受信部１４と、操作信号受信部１４で受信された操作信号Ｓ１から制御信号Ｓ２を生成し、データ制御装置９の各構成部を制御する制御部１５と、制御部１５で生成された各種の制御信号Ｓ２を出力する制御信号出力部３１とがバスＡ上に接続されて構成されている。
【００５６】
データ制御装置９は、必要に応じて、受信機接続部１０及び機器接続部３０を介して供給されたデータを符号化処理部１２に供給して符号化し、符号化されたデータを記憶部１３に記憶する。そして、データ制御装置９は、記憶部１３に記憶されているデータを読み出し、読み出されたデータを表示接続部１１に接続されている表示部３に出力する。
【００５７】
操作信号受信部１４は、ユーザの操作に応じて所定の操作信号Ｓ１が生成され、生成された操作信号Ｓ１が制御部１５に供給される。
【００５８】
制御部１５は、操作信号受信部１４から供給された操作信号Ｓ１に応じて、所定の制御信号Ｓ２を生成し、生成した制御信号Ｓ２を受信機接続部１０又は制御信号出力部３１に出力する。
【００５９】
制御信号出力部３１は、制御部１５から供給された制御信号Ｓ２を機器６に出力する。なお、制御信号出力部３１は、機器６が受信可能な信号形態で出力するものとし、例えば、赤外線で出力される。
【００６０】
ここで、データ制御装置９の具体的な動作について図１０に示すフローチャートにしたがって以下に説明する。なお、ユーザは、表示接続部１１に接続されている一の表示デバイスに、受信機接続部１０に接続されている受信機２から任意のチャンネルのデータに基づく映像を表示させたいものとする。
【００６１】
ステップＳＴ２０において、操作信号受信部１４は、操作信号Ｓ１を受信する。ここで、ユーザは、リモコン等により任意のチャンネルの番号を押圧し、操作信号受信部１４に操作信号Ｓ１を送信する。また、操作信号受信部１４と表示部３を構成している表示デバイスとは対応関係を有しているものとし、一の操作信号受信部１４から供給された操作信号Ｓ１には、該一の操作信号受信部１４に対応する表示部を識別する情報が含まれているものとする。したがって、一の操作信号受信部１４から供給された操作信号Ｓ１によりデータサーバ４を介して読み出されたデータに基づく映像は、該一の操作信号受信部１４に対応する表示デバイスに表示される。
【００６２】
ステップＳＴ２１において、操作信号受信部１４は、受信した操作信号Ｓ１を制御部１５に供給する。
【００６３】
ステップＳＴ２２において、制御部１５は、供給された操作信号Ｓ１が受信機２からのデータを要求しているのか、機器６に記録されているデータを要求しているのかを判断する。判断の結果、受信機２からのデータを要求している場合には、ステップＳＴ２３に進み、機器６に記録されているデータを要求している場合には、ステップＳＴ２６に進む。
【００６４】
ステップＳＴ２３において、制御部１５は、供給された操作信号Ｓ１に基づき所定の操作信号Ｓ１を生成し、生成した操作信号Ｓ１を受信機接続部１０に供給する。
【００６５】
ステップＳＴ２４において、受信機接続部１０は、制御部１５から供給された制御信号Ｓ２に基づき、一のアンテナを選択し、選択されたアンテナから受信される信号から任意のチャンネルを選択し、選択されたチャンネルを受信する。
【００６６】
ステップＳＴ２５において、制御部１５は、受信機接続部１０で受信されたチャンネルのデータを表示接続部１１に接続されている一の表示デバイスに出力する。
【００６７】
また、ステップＳＴ２６において、制御部１５は、供給された操作信号Ｓ１に基づき所定の制御信号Ｓ２を生成し、生成した制御信号Ｓ２を制御信号出力部３１に供給する。
【００６８】
ステップＳＴ２７において、制御信号出力部３１は、制御部１５から供給された制御信号Ｓ２を機器接続部３０に接続されている機器６に送信する。機器６は、制御信号出力部３１から供給された制御信号Ｓ２に応じて、一の機器が駆動され、媒体からデータが読み出され、読み出されたデータを機器接続部３０に供給する。
【００６９】
ステップＳＴ２８において、制御部１５は、機器接続部３０で受信されたデータを表示接続部１１に接続されている一の表示デバイスに出力する。
【００７０】
また、本発明に係るＡＶシステム８を複数人で使用する場合には、バスＡ上のデータの調停を考慮する必要がある。以下に、バスの調停について述べる。
【００７１】
ＡＶシステム８は、データの送出を行う機器６に、ユーザＩＤの設定が可能なものとし、設定した内容に応じて制御権の制御を行う。
【００７２】
例えば、機器６にＤＶＤ再生機能が実装されている場合、ユーザＡにパレンタルロックが設定されていたら、ユーザＡからのロック対象ディスクの再生要求は、拒否され、再生映像を表示部に表示させることができない。
【００７３】
また、機器６に追いかけ再生機能が付加されている場合には、ユーザＢが追いかけ再生を利用して映像を視聴中に、ユーザＣが同一ソースに対する特殊再生（早送り等）を要求した場合、最初に制御権を取得したユーザＢが所定の設定（ユーザＩＤ設定）を行っておいたときには、他のユーザＣからの特殊再生要求は拒否される。ＡＶシステム８は、制御権なき者に操作はさせないポリシーである。なお、ユーザは、ユーザＩＤ設定として、データサーバ４、データアダプタ７及びデータ制御装置９に、接続されているデータ送出側機器である受信機２及び／又は機器６を占有するための占有権の設定を行う。
【００７４】
例えば、データサーバ４、データアダプタ７及びデータ制御装置９は、機器６や受信機２の機能ごとに、占有権の設定を保持する入力機器情報保持部を実装する。
【００７５】
ユーザは、受信機２が地上波アナログ信号を受信するチューナと、衛星放送を受信するチューナの複合機だった場合には、占有権として「地上波アナログチューナ」＋「衛星放送チューナ」を入力機器情報保持部に登録する。このように占有権を登録することにより、ユーザは、受信機２の操作を独占する。
【００７６】
なお、入力機器情報保持部は、占有権設定の際に、機器６や受信機２の各機能と占有先をペアで示す情報を保持する。
【００７７】
また、ＵＰｎＰを例に挙げると、表示部３と対応関係を有する操作信号にはパケット内にＩＰアドレスが含まれているため、当該ＩＰアドレスを管理することで、操作信号を送出する機器を特定できるので、入力機器情報保持部は、各機器の機能とペアでＩＰアドレスを保持する。
【００７８】
なお、受信機２及び機器６が複数の機能を有しながら、各々の機能を個別に動作させることができない仕様の場合には、すべての機能に同じ占有先を示す情報を保持するように制御する。
【００７９】
このように構成されるＡＶシステム８は、ネットワークをバス的な概念で考え、データを受信する受信機２と、データが記録されている機器６と、受信機２により受信したデータ及び機器６から読み出したデータを表示する表示部３とが、ユーザの操作に応じて、受信機２により受信したデータ及び機器６に記録されているデータを表示部３に供給するデータ制御装置９に接続されているので、例えば、データに符号化を行う側と、符号化されたデータを復号する側とで各々共通の設計を利用でき、また、重複した機能を省略することができるので、システムのコストダウンを図ることができる。
【００８０】
また、ＡＶアダプタ５は、機器を接続するケーブル類が少なくて済み、複数の機器の接続が容易に行え、システムの拡張が容易に行うことができる。
【図面の簡単な説明】
【００８１】
【図１】本発明に係るＡＶサーバの構成を示すブロック図である。
【図２】図１に示したＡＶサーバに備えられているデータサーバの構成を示すブロック図である。
【図３】図１に示したＡＶサーバに接続される表示部の構成を示すブロック図である。
【図４】図２に示したデータサーバの動作について説明するフローチャートである。
【図５】本発明に係るＡＶアダプタの構成を示すブロック図である。
【図６】図５に示したＡＶアダプタに備えられているデータアダプタの構成を示すブロック図である。
【図７】図６に示したデータアダプタの動作について説明するフローチャートである。
【図８】本発明に係るＡＶシステムの構成を示すブロック図である。
【図９】図８に示したＡＶシステムに備えられているデータ制御装置の構成を示すブロック図である。
【図１０】図９に示したデータ制御装置の動作について説明するフローチャートである。
【符号の説明】
【００８２】
１  ＡＶサーバ、２  受信機、３  表示部、４  データサーバ、６  機器、７  データアダプタ、１０  受信機接続部、１１  表示接続部、１２  符号化処理部、１３  記憶部、１４  操作信号受信部、１５  制御部、２０  受信部、２１  復号部、２２  表示データ付加部、２３  接続部、２４  ＲＯＭ、２５  ＲＡＭ、３０  機器接続部、３１  制御信号出力部
【図１】
2005223644.tif 000003
【図２】
2005223644.tif 000004
【図３】
2005223644.tif 000005
【図４】
2005223644.tif 000006
【図５】
2005223644.tif 000007
【図６】
2005223644.tif 000008
【図７】
2005223644.tif 000009
【図８】
2005223644.tif 000010
【図９】
2005223644.tif 000011
【図１０】
2005223644.tif 000012